(57)【要約】各種メディアから取得した目的地ＩＤに基づいて容易にカーナビゲーション装置に目的地を設定することを可能にするために、端末装置から少なくとも位置ＩＤとユーザＩＤとを受信して、取得したユーザＩＤに対応付けられたユーザデータベースに登録し、さらにこの位置ＩＤに対応付けられた位置情報を位置情報データベースから読み出して、カーナビゲーション装置に対して前記位置情報を提供するようにした。そしてカーナビゲーション装置は車が始動キーで始動したときに情報を受信できるようにしておく。【特許請求の範囲】
【請求項１】
端末装置から少なくとも１つの位置ＩＤとユーザＩＤとを受付手段に対して送信するステップと、
前記受付手段が取得したユーザＩＤに対応付けられたユーザデータベースに前記位置ＩＤを登録するステップと、
前記ユーザデータベースから前記位置ＩＤを読み出して、位置ＩＤに対応付けられた位置情報を位置情報データベースから読み出すステップと、
車載器からのアクセスに対して少なくとも１つの前記位置ＩＤまたは前記位置情報を提供するステップとからなる車載器への情報配信方法。
【請求項２】
前記端末装置は携帯電話端末である請求項１記載の車載器への情報配信方法。
【請求項３】
前記位置情報は地図上の座標位置情報である請求項１記載の車載器への情報配信方法。
【請求項４】
前記車載器からのアクセスに対して前記位置ＩＤまたは前記位置情報を提供するステップは、
前記ユーザＩＤ毎に前記位置ＩＤまたは位置情報を記録したＷＥＢページを生成し、前記車載器から前記ＷＥＢページへのアクセスによって前記車載器に前記位置ＩＤまたは位置情報を配信する請求項１記載の車載器への情報配信方法。
【請求項５】
携帯端末から少なくとも位置ＩＤとユーザＩＤとを受け付ける手段と、
前記ユーザＩＤと位置ＩＤとを対応付けて記録するユーザデータベースと、
前記位置ＩＤと位置情報とを対応付けて記録する位置情報データベースと、
前記位置ＩＤに対応した位置情報を組み合わせて車載器に提供する手段とからなる車載器への情報配信装置。
【請求項６】
前記位置情報の提供は、車載器からアクセス可能なＷＥＢサーバに表示情報として登録される請求項１記載の車載器への情報配信方法。
【請求項７】
第１の端末装置から少なくとも１つの位置ＩＤとユーザＩＤとを受付手段に対して送信するステップと、
前記受付手段が取得したユーザＩＤに対応付けられたユーザデータベースに前記位置ＩＤを登録するステップと、
前記ユーザデータベースから前記位置ＩＤを読み出して、位置ＩＤに対応付けられた位置情報を位置情報データベースから読み出すステップと、
第２の端末装置からのアクセスに対して少なくとも１つの前記情報を提供するステップとからなる情報配信方法。
【請求項８】
端末装置から少なくとも１つの情報ＩＤとユーザＩＤとを受付手段に対して送信するステップと、
前記受付手段が取得したユーザＩＤに対応付けられたユーザデータベースに前記情報ＩＤを登録するステップと、
前記ユーザデータベースから前記情報ＩＤを読み出して、情報ＩＤに対応付けられた情報を情報データベースから読み出すステップと、
車載器からのアクセスに対して少なくとも１つの前記位置情報を提供するステップとからなる車載器への情報配信方法。
【請求項９】
第１の端末装置から少なくとも１つの情報ＩＤとユーザＩＤとを受付手段に対して送信するステップと、
前記受付手段が取得したユーザＩＤに対応付けられたユーザデータベースに前記情報ＩＤを登録するステップと、
前記ユーザデータベースから前記情報ＩＤを読み出して、位置ＩＤに対応付けられた情報を情報データベースから読み出すステップと、
第２の端末装置からのアクセスに対して少なくとも１つの前記情報を提供するステップとからなる情報配信方法。
【請求項１０】
前記車載器からのアクセスは、車両の始動または車載器の始動操作によって車載器が起動した時またはその後に行われる請求項１〜９のいずれかに記載の情報配信方法。
【発明の詳細な説明】
【技術分野】
【０００１】  本発明は、車両のカーナビゲーション装置等の車載器への情報配信方法に関する。
【背景技術】
【０００２】  車両に搭載された車載器（カーナビゲーション装置）で目的地を設定する方法としては、リモコン等で住所や電話番号、さらには緯度・経度を直接入力することが一般的だった。しかし、このような目的地の設定方法は煩雑であり、運転者が車両を停止させて目的地の設定を行うことは大都市の厳しい駐停車環境を考えると困難な場合が多かった。【０００３】  なお、携帯電話端末を用いたカーナビゲーション装置における目的地設定方法について説明した特許文献として、特開２００２−２５７５６６号公報があるが、携帯電話端末をカーナビゲーション装置の通信手段として用いているに過ぎない。
【特許文献１】特開２００２−２５７５６６号公報
【発明の開示】
【発明が解決しようとする課題】
【０００４】  一方、新聞、雑誌やテレビ・ラジオ放送、インターネット等のメディアでは、レストランや店舗の情報が大量に溢れているが、ユーザがこれらの情報を参照してこれらのレストランや店舗に行く決意をした場合に、これらを目的地にしてその住所や電話番号をカーナビゲーション装置に入力しなければならず、メディアからの情報を有効に利用できない問題があった。【０００５】  本発明は、このような点に鑑みてなされたものであり、各種メディアから取得した情報に基づいて容易にカーナビゲーション装置に目的地を設定することが可能な技術を提供することを技術的課題とする。
前記課題を解決するために本発明は、端末装置から少なくとも位置ＩＤとユーザＩＤとを受信して、取得したユーザＩＤをユーザデータベースに登録し、さらにこの位置ＩＤに対応付けられた位置情報を位置情報データベースから読み出して、前記カーナビゲーション装置に対して前記位置情報を提供するものである。【０００６】  端末装置は、たとえばネットワーク通信機能を備えた携帯電話端末、パーソナルコンピュータまたはカーナビゲーション装置自身で構成することができる。
位置ＩＤとは、地図上で一意の位置を示す数字列等のコード情報として付与されているＩＤを用いることができる。カーナビゲーション装置等の地図データベースに当該位置ＩＤの情報が格納されている場合には、カーナビゲーション装置に対して、位置ＩＤを送信するだけで目的地の設定が可能となる。
なお、位置ＩＤの代わりに、店舗ＩＤ等を情報ＩＤとして端末装置から送信するようにしてもよい。この場合、サーバにおいて受信された当該店舗ＩＤに対応した位置情報（経度・緯度等の座標情報）がカーナビゲーション装置に送信される。【０００７】  位置情報データベースには、前記情報ＩＤ毎にカーナビゲーション装置が把握可能な座標情報が位置情報として登録されており、より具体的には緯度と経度が登録されている。【０００８】  そして、カーナビゲーション装置に対して位置情報を提供することにより、カーナビゲーション装置は前述の端末装置から入力された位置ＩＤに対応した場所を目的地として設定することが可能となる。【０００９】  なお、カーナビゲーション装置への位置情報の提供方法としては、通信機能を有するカーナビゲーション装置に対して直接位置情報を送信することも可能であるが、情報提供サーバ（たとえばＷＥＢサーバ）上にＷＥＢページを生成し、位置情報を設定可能な目的地として一覧表示させるようにしてもよい。このように位置情報リストを生成することにより、車のエンジンを始動し、カーナビゲーション装置を起動した時に前記情報提供サーバにアクセスして目的地の情報を収集することができる。【００１０】  すなわち、本発明の技術によれば、図１に示すような運用が可能である。
ユーザは、カメラ付携帯端末１０２でたとえば雑誌１０１の店舗紹介記事とともに印刷されているバーコード１０３を撮影すると、カメラ付携帯端末１０２のバーコード読取機能により、バーコード１０３が解析されてインターネット上のアドレス（ＵＲＬ）に変換される。そして、カメラ付携帯端末１０２のインターネット接続機能により当該アドレスにアクセスすると、前記店舗の位置を登録するためのボタン１０２ｂがカメラ付携帯端末１０２ａの画面に表示される。ユーザが、当該カメラ付携帯端末１０２の操作ボタンを操作して前記登録ボタン１０２ｂを指定して入力操作（ワンプッシュ操作）を行うと、当該アドレス（ＵＲＬ）から呼び出されたファイルに記述されたに設定された店舗ＩＤ（店舗に対して割り当てられる位置ＩＤ）と，前記カメラ付携帯端末１０２に登録されたユーザＩＤが本発明のワンプッシュサーバに送信される。【００１１】  なお、店舗ＩＤは、数桁の数字等で構成されたコードが考えられるが、経度と緯度が直接登録された位置ＩＤそのものであってもよい。【００１２】  また，ユーザＩＤは，本発明のワンプッシュサーバにアクセス後に，ユーザが手動入力してもよい。【００１３】  次に、当該ユーザが自分の車両１０５に乗車し、カーナビゲーション装置１０４を始動すると、当該カーナビゲーション装置１０４の通信機能により、前記の店舗ＩＤに対応した経度・緯度情報が前記ワンプッシュサーバからダウンロードされ、カーナビゲーション装置１０４に当該店舗の経度と緯度とが目的地として設定される。【００１４】  このように本発明の運用により、ユーザは雑誌１０１等のメディアで取得した情報をカメラ付携帯端末１０２等の端末装置からワンプッシュ操作でサーバに送信しておくことにより、自車のカーナビゲーション装置１０４に当該情報に基づいた目的地情報がダウンロードされる。
【発明の効果】
【００１５】  本発明によれば、各種メディアから取得した目的地ＩＤに基づいて容易にカーナビゲーション装置に目的地を設定することができる。
【発明を実施するための最良の形態】
【００１６】  図２に示すように、本実施形態は、携帯電話端末１０２（携帯端末）と、ワンプッシュサーバ２０１と、車載器（カーナビゲーション装置）とで構成される。【００１７】  携帯電話端末１０２は、ネットワーク接続可能な携帯電話端末１０２、パーソナルコンピュータ、ＰＤＡ（Ｐｅｒｓｏｎａｌ  Ｄａｔａ  Ａｓｓｉｓｔａｎｔ）等を例示することができ、場合によっては無線ＬＡＮまたは携帯電話端末１０２を介してネットワークに接続可能なカーナビゲーション装置１０４自身であってもよい。ただ以下の説明では説明の簡略のため、これらを含む概念として一括して携帯電話端末１０２（携帯端末）と呼ぶ。【００１８】  ワンプッシュサーバ２０１は、受付サーバ２０２と、ＷＥＢサーバ２０３とで構成されており、データベースとしてユーザデータベース２０４と位置情報データベース２０５とを有している。なお、受付サーバ２０２とＷＥＢサーバ２０３とはその機能を兼用した１つのサーバであってもよい。また、データベースもユーザデータベース２０４と位置情報データベース２０５が統合された単一のデータベースであってもよい。【００１９】  受付サーバ２０２とＷＥＢサーバ２０３とは汎用の情報処理装置またはパーソナルコンピュータ等で構成されており、受付サーバ２０２はユーザデータベース２０４へのアクセスが、ＷＥＢサーバ２０３はユーザデータベース２０４と位置情報データベース２０５とへのアクセスが可能となっている。【００２０】  ユーザデータベース２０４には、携帯電話端末１０２のユーザＩＤをキーとしてそれに対応する位置ＩＤ（位置登録１，位置登録２，，，）が登録可能となっている。ユーザＩＤは、入会処理においてパーソナルコンピュータ等から携帯電話端末１０２と車載器１０４に任意のＩＤを設定し、受付サーバ２０２にアクセスする際に当該ユーザＩＤで認証を行うようにしてもよい。ユーザは車載器１０４からＷＥＢサーバ２０３にアクセスする際に当該ＷＥＢサーバ２０３の管理ドメイン下に設定されたこのＵＲＬを指定することになる。したがって、ユーザＩＤはＵＲＬを直接示すものであってもよい。【００２１】  なお、図２ではユーザＩＤとともに車載器ＩＤを登録可能としているが、特定の車載器ＩＤからのアクセスのみを受け付ける場合には、このように車載器ＩＤをユーザデータベース２０４に登録させるようにしてもよい。【００２２】  なお、ユーザデータベース２０４の位置ＩＤのエリアは初期状態ではＮＵＬＬコードが登録されているが、携帯電話端末１０２から位置ＩＤが登録される度に当該位置ＩＤが位置登録ｎとして格納されるようになっている。なお、ユーザデータベース２０４の位置ＩＤの登録可能個数は任意であるが、車載器１０４（カーナビゲーション装置）で管理可能な行き先情報として、数個乃至２０個程度を登録可能とすることが望ましい。【００２３】  なお，これらの位置ＩＤは、一旦，車載器１０４で目的地に設定されたり，目的地に到着したりすると，車載器１０４からの指示を受け順次削除されるようにしてもよし，時間経過によって削除してもよい。【００２４】  位置情報データベース２０５は、前記位置ＩＤに対応した店舗等の名称（名前）と、経度と緯度とが登録されてい��。このような位置ＩＤと経度と緯度の情報はあらかじめサービス提供者、すなわちワンプッシュサーバ２０１の運営管理者が雑誌または店舗営業者からの要請に基づいてデータベース化しておくことが望ましい。【００２５】  次に、図１〜図３を用いて、具体的な手順を説明する。【００２６】  まず、携帯電話端末１０２がカメラ付携帯電話端末１０２である場合、ユーザは、このカメラ付携帯電話端末１０２でたとえば雑誌１０１の店舗紹介記事とともに印刷されているバーコード１０３を撮影する。カメラ付携帯電話端末１０２には、バーコード読取プログラムが登録されており、当該プログラムの処理により、バーコード１０３が解析されてインターネット上のアドレス（ＵＲＬ）に変換される。【００２７】  そして、カメラ付携帯電話端末１０２のインターネット接続機能により当該アドレスにアクセスすると、前記店舗の地図を登録ボタン１０２ｂがカメラ付携帯電話端末１０２の画面１０２ａに表示される。ユーザが、当該カメラ付携帯電話端末１０２の操作ボタンを操作して前記登録ボタン１０２ｂを指定して入力操作（ワンプッシュ操作）を行うと、当該アドレス（ＵＲＬ）に設定された位置ＩＤとしての店舗ＩＤ（ａａａａ）と、前記カメラ付携帯電話端末１０２に登録されたユーザＩＤ（０００１）とが受付サーバ２０２に送信される。【００２８】  受付サーバ２０２では、このユーザＩＤ（０００１）を検索キーにしてユーザデータベース２０４にアクセスする。そして当該ユーザＩＤ（０００１）を索出した時には、そのユーザＩＤ（０００１）に対応付けて前記店舗ＩＤ（ａａａａ）を位置登録１として追加登録する。【００２９】  なお、この状態で受付サーバ２０２が前記と同じ携帯電話端末１０２（ユーザＩＤ：０００１）より新たな位置ＩＤ，すなわち店舗ＩＤ（ｂｂｂｂ）を受信した場合には、ユーザデータベース２０４のユーザＩＤ（０００１）に対応付けて新たな店舗ＩＤ（ｂｂｂｂ）を追加登録する。【００３０】  次に、ＷＥＢサーバ２０３は、ユーザデータベース２０４の状態を監視し、新たな店舗ＩＤ（位置登録）が追加登録された時には、当該店舗ＩＤ（位置登録）に対応する店舗の緯度と経度とを位置情報データベース２０５から読み出す。【００３１】  次に、ＷＥＢサーバ２０３は、ユーザＩＤを読み出して，このユーザＩＤ毎に店舗情報の緯度と経度との座標情報リストを作成する。具体的には、ユーザＩＤをドメイン配下のアドレスにしたＨＴＭＬ（Ｈｙｐｅｒ  Ｔｅｘｔ  Ｍａｒｋ−ｕｐ  Ｌａｎｇｕａｇｅ）形式のページを生成する。たとえば、「ｈｔｔｐ：／／ｗｗｗ．ｌｉｓｔ／Ａｂ１２．ｈｔｍｌ」というＵＲＬを有するＷＥＢページが生成される。そしてこのＷＥＢページには店舗ＩＤ（位置ＩＤ）＝ａａａａと、店舗ＩＤ（位置ＩＤ）＝ｂｂｂｂに対応する店舗の緯度と経度が、「ａａａａ＝Ｅ３８．１８．１３：Ｎ３４．３２．３０」、「ｂｂｂｂ＝Ｅ３８．１８．１５：Ｎ３４．３３．４４」というようにリスト化されてＷＥＢサーバ２０３に登録される。【００３２】  次に、ユーザが自車１０５に乗車してカーナビゲーション装置１０４（車載器）が起動すると、無線ＬＡＮ、ＰＨＳまたは携帯電話端末回線による通信手段が起動し、カーナ���ゲーション装置１０４は，ユーザＩＤをＷＥＢサーバ２０３に送信し認証を受ける。このとき、図４に示すようにユーザデータベースにユーザＩＤとともに車載器ＩＤが登録されているような場合には、車載器ＩＤをＷＥＢサーバ２０３に送信して認証を受けてもよい。【００３３】  そして、カーナビゲーション装置１０４は、前記ＷＥＢサーバ２０３に生成された前述のＵＲＬ（ここでは、「ｈｔｔｐ：／／ｗｗｗ．ｌｉｓｔ／Ａｂ１２．ｈｔｍｌ」）にアクセスする。そして、前記店舗ＩＤ＝ａａａａと、店舗ＩＤ＝ｂｂｂｂの緯度と経度情報をカーナビゲーション装置１０４の表示装置に表示する。【００３４】  このような緯度・経度情報のダウンロードは、ユーザ（運転者）に意識させることなく実行処理されてもよい。【００３５】  ここで、ユーザ（運転者）が、表示装置上でいずれかかの店舗ＩＤ（たとえば「ａａａａ」）を指定すると、当該店舗ＩＤに対応する緯度・経度情報（「ａａａａ＝Ｅ３８．１８．１３：Ｎ３４．３２．３０」）がカーナビゲーション装置１０４にダウンロードされ、自車の目的地としてこの緯度・経度が設定される。【００３６】  図４は、カーナビゲーション装置１０４を用いたユーザＩＤの登録方法について説明した図である。【００３７】  同図では、カーナビゲーション装置１０４から無線ＬＡＮ、ＰＨＳまたは携帯電話端末回線による通信手段を用いてＷＥＢサーバ２０３にアクセスする。ここで、ＷＥＢサーバ２０３は登録用ＷＥＢサーバ２０３として機能しており、カーナビゲーション装置１０４を通じて携帯メールアドレス（携帯電話端末１０２に設定されたメールアドレス）を入力させる。このようにして取得されたユーザＩＤと携帯メールアドレスとは登録システム４０１によって処理される。【００３８】  なお、カーナビゲーション装置１０４への携帯メールアドレスの登録はカーナビゲーション装置１０４に付属される図示されないリモコン等によって入力されてもよく、さらに携帯電話端末１０２とカーナビゲーション装置１０４との赤外線通信、ブルートゥース通信、その他の無線通信によって携帯電話端末１０２からカーナビゲーション装置１０４にデータ転送された携帯メールアドレスを用いてもよい。【００３９】  登録システム４０１では、このようにして受信した携帯メールアドレスをユーザデータベース２０４に登録する。なお、図４のユーザデータベース２０４では携帯メールアドレスの欄は省略されているが、車載器ＩＤの欄に携帯メールアドレスを登録するようにしてもよい。【００４０】  次に、登録システム４０１は、ユーザ毎に生成した携帯登録用ＷＥＢページのＵＲＬを含んだ電子メールを生成し、前記で取得した携帯メールアドレスに対して送信する。【００４１】  次に、前記電子メールを受信した携帯電話端末１０２から前記電子メールに含まれるＵＲＬに基づいて携帯登録用ＷＥＢページにアクセスする。ユーザは携帯電話端末１０２を介してこの携帯登録ＷＥＢページにアクセスすることによりこのＷＥＢページのＣＧＩを介してユーザデータベース２０４にアクセスしてユーザＩＤを取得する。【００４２】  なお，携帯電話端末からのＷＥＢページアクセスの際，携帯電話事業者から提供される携帯電話端末の��別ＩＤをユーザＩＤとして用いてもよい。さらに、ユーザＩＤとしては前記携帯電話端末の識別ＩＤの他、車載器ＩＤ、車両固有のＩＤ（エンジンや車体の製造番号等）、通信機器固有のＩＤ、携帯電話端末や車載器に挿入されるＩＣカード、車両のキーに登録されているセキュリティＩＤ（イモビライザー等のＩＤ）を用いてもよい。【００４３】  また，携帯メールアドレスの登録の際に，ユーザＩＤを登録することにより、本手順を省略することもできる。【００４４】  そして、このユーザＩＤを携帯登録用ＷＥＢサーバ２０３を介して携帯電話端末１０２に通知し、登録処理を完了する。このような一連の処理により、ユーザＩＤに基づいたユーザデータベース２０４が構築される。【００４５】  図５は、図４で説明したユーザＩＤの登録方法の別の方法を示す図である。図５では登録用ＷＥＢサーバが省略されており、カーナビゲーション装置１０４はカーナビゲーション装置１０４にダウンロードされた登録用アプリケーションプログラムを起動してユーザの携帯メールアドレスの入力を促し、入力された携帯メールアドレスを直接登録システム４０１に送信するようになっている。なお、以後の処理は図４と同じであるため説明は省略する。【００４６】  図６は、ユーザＩＤの登録方法のさらに別の方法を示す図である。【００４７】  図６は、携帯電話端末１０２を用いずにカーナビゲーション装置１０４のみでユーザＩＤとメールアドレスとをユーザデータベース２０４に登録する場合である。同図では、カーナビゲーション装置１０４から無線ＬＡＮ、ＰＨＳまたは携帯電話回線による通信手段を用いて登録用ＷＥＢサーバ２０３にアクセスし、ユーザＩＤとパスワードとを登録する。登録システム４０１はこのユーザＩＤとパスワードとをユーザデータベース２０４に登録する。なお、図６ではユーザデータベース２０４のパスワードの欄は省略されている。【００４８】  図７は、図６で説明したユーザＩＤの登録方法の変形例である。【００４９】  図７では、図６で示した登録用ＷＥＢサーバが省略されており、カーナビゲーション装置１０４は無線ＬＡＮ、ＰＨＳまたは携帯電話回線による通信手段を用いて直接登録システムにアクセスし、ユーザＩＤとパスワードとを登録する。その他の処理は図６と同様であるので説明は省略する。【００５０】  図８は、インターネット接続可能な携帯電話端末１０２でＷＥＢサーバを閲覧している際に注目した位置ＩＤをワンプッシュサーバ２０１に登録し、カーナビゲーション装置１０４に当該位置ＩＤに対応した地図座標情報をダウンロードする手順を示したシーケンス図である。【００５１】  ユーザが携帯電話端末１０２（携帯端末）のブラウザプログラムを起動してインターネット上のＷＥＢサーバ８０１（このＷＥＢサーバは、図２のワンプッシュサーバ２０１内のＷＥＢサーバとは異なる）の店舗情報を閲覧しており、図２に示したような画面に表示されたボタン（登録ボタン）の領域を指定して入力（ワンプッシュ操作）を行うと、ワンプッシュサーバ２０１に対して当該アドレス（ＵＲＬ）に設定された位置ＩＤとしての店舗ＩＤと、前記カメラ付携帯電話端末１０２に登録されたユーザＩＤとがワンプッシュサーバ２０１（受付サーバ��０２）に送信されユーザデータベース２０４に登録される。この手順の詳細は図２で説明したので省略する。【００５２】  なお，ユーザが受付サーバにアクセスした後に，別途ユーザＩＤを入力してもよい。【００５３】  次に、カーナビゲーション装置１０４が起動されて、ユーザＩＤをワンプッシュサーバ２０１（図２に示したＷＥＢサーバ）に送信し認証を受ける。そして、当該ユーザＩＤでユーザデータベース２０４を検索して生成されたＷＥＢサーバから前記店舗ＩＤに対応した緯度・経度情報の転送を受ける。カーナビゲーション装置１０４ではこの緯度・経度情報に基づいて経路表示（ルート表示）および案内を開始する。【００５４】  なお，車載器にユーザＩＤを記憶させて，上記動作を自動的に実現させてもよい。【００５５】  また，携帯電話端末に記憶させたユーザＩＤを，Ｂｌｕｅｔｏｏｔｈなどの短距離無線アクセスや，携帯電話端末に搭載された非接触アクセスを用いて，前記携帯電話端末から前記ユーザＩＤを車載器に送信した上で，車載器がユーザＩＤを受付サーバに送信して，上記動作を自動的に実現させてもよい。【００５６】  また，ＩＣカードやＩＣチップ内臓車両鍵に内蔵されるＩＤをユーザＩＤとして，車載器に送信した上で，車載器がユーザＩＤを受付サーバに送信して，上記動作を自動的に実現させてもよい。【００５７】  図９は、本発明の他の実施形態の操作手順を示したものである。同図では、携帯電話端末１０２（携帯端末）がアクセスするＷＥＢサーバ８０１の店舗情報にあらかじめワンプッシュサーバ２０１から提供された店舗ＩＤが登録されており、ワンプッシュサーバ２０１は店舗ＩＤと緯度・経度情報とを緯度経度データベースに登録しておく。【００５８】  次にＷＥＢサーバの店舗情報を閲覧したユーザが携帯電話端末１０２（携帯端末）の表示画面上のボタン（登録ボタン）を指定して入力操作（ワンプッシュ操作）を行うと、この店舗ＩＤと携帯電話端末１０２（携帯端末）のユーザＩＤとがワンプッシュサーバ２０１に送信される。【００５９】  ワンプッシュサーバ２０１では携帯電話端末１０２（携帯端末）から送信された店舗ＩＤに基づいて緯度経度データベース９０１を検索し、当該店舗ＩＤに対応した緯度経度情報を読み出す。そして、前記ユーザＩＤに対応して緯度経度情報を個人データベース９０２に登録する。このようにして登録された個人データベース９０２に基づいてワンプッシュサーバ２０１のＷＥＢサーバに緯度経度情報が登録される。そして、カーナビゲーション装置１０４がワンプッシュサーバ２０１（ＷＥＢサーバ）にアクセスして認証処理を受けると当該ユーザの個人ページが表示されて前記緯度経度情報ダウンロード可能となる。そして、この緯度経度情報がカーナビゲーション装置１０４に転送されると、該緯度経度情報に基づいてルート表示およびルート案内が開始される。【００６０】  なお，該当店舗ＩＤに対応した緯度経度情報の読み出しと緯度経度情報の登録を，カーナビゲーション装置１０４からのアクセスの前に行わず，位置ＩＤに関連付けたＵＲＬを含む個人ページとして，カーナビゲーション装置１０４からのアクセス後に，緯度経度を読み出して，カーナビゲーション装置１０４に転送さ��てもよい。【００６１】  図１０は、携帯電話端末１０２（携帯端末）とカーナビゲーション装置１０４との関連付けを別の実施形態で行う場合を示すシーケンス図である。【００６２】  携帯電話端末１０２（携帯端末）でＷＥＢサーバ８０１から赤外線アプリケーションプログラムをダウンロードする。この赤外線アプリケーションプログラムは、たとえばＪＡＶＡ（登録商標）言語で記述され携帯電話端末１０２（携帯端末）上で起動されるアプリケーションプログラムであり、携帯電話端末１０２（携帯端末）の赤外線通信用インターフェースを制御して他の機器との赤外線通信を可能にするものである。【００６３】  次に、ユーザが自車１０５に乗車して、前記携帯電話端末１０２（携帯端末）にダウンロードされた赤外線アプリケーションプログラムを起動すると、当該携帯電話端末１０２（携帯端末）とカーナビゲーション装置１０４とが通信を行い、ユーザＩＤがカーナビゲーション装置１０４に送信される。【００６４】  このような場合は、ユーザの携帯電話端末１０２への指示を待ってから実行してもよいが、アプリケーションプログラムの起動とともに自動的に通信を開始してもよい。【００６５】  なお、このような赤外線アプリケーションプログラムは、ユーザの自車１０５以外の他車に乗車した時に当該他車の車載器１０４と通信を行うようにしてもよい。【００６６】  カーナビゲーション装置１０４が起動されると、前記ユーザＩＤによってワンプッシュサーバ２０１に自動接続し、ユーザデータベース２０４を検索する。以下の処理は図１で説明した処理と同様であるので説明を省略する。【００６７】  なお、このときユーザデータベース２０４には、前記携帯電話端末１０２（携帯端末）からのワンプッシュ操作により、位置ＩＤが既に登録されているものとする。【００６８】  図１１は、本発明のさらに他の実施形態の処理手順を示すシーケンス図である。この実施形態では、まずワンプッシュサーバ２０１が緯度経度情報とそれに対応するアクセス用ＩＤとを緯度経度データベース（位置情報データベース２０５）としてワンプッシュサーバ２０１内に登録する。【００６９】  また、前記アクセス用ＩＤをＷＥＢサーバに提供し、ＷＥＢサーバ８０１内の店舗情報にアクセス用ＩＤを付与する。【００７０】  この状態で、携帯電話端末１０２（携帯端末）が店舗情報を表示し、ワンプッシュ操作を行うと、前記アクセス用ＩＤと赤外線アプリケーションプログラムが携帯電話端末１０２（携帯端末）にダウンロードされる。【００７１】  次に、ユーザが自車に乗車して、前記携帯電話端末１０２（携帯端末）にダウンロードされた赤外線アプリケーションプログラムを起動すると、当該携帯電話端末１０２（携帯端末）とカーナビゲーション装置１０４とが通信を行い、前記アクセス用ＩＤがカーナビゲーション装置１０４に送信される。【００７２】  次に、カーナビゲーション装置１０４が起動されると、前記アクセス用ＩＤによってワンプッシュサーバ２０１に自動接続し、緯度経度情報データベース９０１を検索する。そして索出された緯度経度情報をカーナビゲーション装置１０４に表示し、ルート（経路）の表示および案内を行う。【００７３】  以上、本実施形態を具体的に説明したが、本発明はこれらに限定されるものではない。
たとえば実施形態では、車載器としてカーナビゲーション装置を用いたが、車両に搭載される情報処理装置であればいかなるものであってもよく、たとえばパーソナルコンピュータ等でもよい。
また実施形態では、ユーザＩＤを用いることによって車載器を特定したが、車両に割り当てられた車両ＩＤや車載器に割り当てられた車載器ＩＤや車載器に接続された通信機器の通信機器ＩＤを用いて車両や車載器や通信機器を特定してもよい。この場合，ユーザＩＤの登録のための車載器からのアクセス時に，受付サーバが当該ＩＤを取得してユーザＩＤとする。
【産業上の利用可能性】
【００７４】  本発明は、車両に搭載されるカーナビゲーション装置等の車載器における移動体通信に利用することができる。
【図面の簡単な説明】
【００７５】
【図１】本発明により実施されるサービスの概念を示す説明図
【図２】携帯電話端末１０２（携帯端末）からワンプッシュサーバ２０１への登録を示す説明図
【図３】カーナビゲーション装置１０４（車載器）が位置情報を取得する手順を示す説明図
【図４】ユーザＩＤと車載器ＩＤとの登録手順を示す説明図（１）
【図５】ユーザＩＤと車載器ＩＤとの登録手順を示す説明図（２）
【図６】ユーザＩＤと車載器ＩＤとの登録手順を示す説明図（３）
【図７】ユーザＩＤと車載器ＩＤとの登録手順を示す説明図（４）
【図８】全体の処理手順を示すシーケンス図
【図９】ワンプッシュサーバ２０１からＩＤを発行する変形例のシーケンス図
【図１０】赤外線アプリケーションプログラムを用いる変形例のシーケンス図（１）
【図１１】赤外線アプリケーションプログラムを用いる変形例のシーケンス図（２）
【符号の説明】
【００７６】１０１  雑誌
１０２  携帯電話端末
１０２ａ  表示画面
１０２ｂ  ボタン（ワンプッシュボタン）
１０３  バーコード
１０４  カーナビゲーション装置（車載器）
１０５  車両
２０１  ワンプッシュサーバ
２０２  受付サーバ
２０３  ＷＥＢサーバ
２０４  ユーザデータベース
２０５  位置情報データベース
【図１】
2005024347.tif 000002
【図２】
2005024347.tif 000003
【図３】
2005024347.tif 000004
【図４】
2005024347.tif 000005
【図５】
2005024347.tif 000006
【図６】
2005024347.tif 000007
【図７】
2005024347.tif 000008
【図８】
2005024347.tif 000009
【図９】
2005024347.tif 000010
【図１０】
2005024347.tif 000011
【図１１】
2005024347.tif 000012
【国際調査報告】
2005024347.tif 000013
2005024347.tif 000014
2005024347.tif 000015
2005024347.tif 000016